(57)【要約】【課題】水滴を速やかに筐体本体外に排水し、かつ、この水滴が基台上に溜まることのない電気機器収納用箱の排水構造を提供する。  【解決手段】複数のフレームにより構成された枠体４を連結してなる筐体本体１と、筐体本体１が載置される基台１３とからなる電気機器収納用箱の排水構造であって、フレームのうち、少なくとも垂直方向に配置される縦フレーム２に水切部８を形成するとともに、基台１３の上面には、水切部８の下方に対応する位置に、水切部８を伝って基台１３上に到達した水滴を、基台１３上から排水する排水口２０を設けた。【選択図】図１
2015216817.tif 000002
【特許請求の範囲】
【請求項１】
複数のフレームにより構成された枠体を連結してなる筐体本体と、
該筐体本体が載置される基台とからなる電気機器収納用箱の排水構造であって、
前記フレームのうち、少なくとも垂直方向に配置される縦フレームに水切部を形成するとともに、
前記基台の上面には、該水切部の下方に対応する位置に、該水切部を伝って前記基台上に到達した水滴を、前記基台上から排水する排水口を設けたことを特徴とする電気機器収納用箱の排水構造。
【請求項２】
前記基台は、枠状の基台フレームからなり、前記基台フレームには、前記排水口に連なるガイド部材を設けるものとし、さらに前記基台フレームの側面部には、前記ガイド部材に連なり、該ガイド部材を伝う水滴を基台外へと排水する放出口を形成したことを特徴とする請求項１記載の電気機器収納用箱の排水構造。
【請求項３】
前記排水口は、前記縦フレーム同士の連結箇所に設けたことを特徴とする請求項１または請求項２記載の電気機器収納用箱の排水構造。
【発明の詳細な説明】
【技術分野】
【０００１】
本発明は、電気機器収納用箱の排水構造に関するものである。
【背景技術】
【０００２】
電気機器を収納するための電気機器収納用箱は、特許文献１のように、複数の枠体を連結してなる筐体本体と、この筐体本体を載置するとともに、設置場所に固定される基台とから構成されている。また、筐体本体の天井面を覆うために、屋根部が設けられることが通常である。このように構成された電気機器収納用箱において、屋根部を支持する上部の横フレームと、縦フレームとには、各々水切部が形成されており、この水切部によって雨水等が筐体本体内に侵入することを防止している。その詳細は、屋根部から横フレームの水切部へと伝った水滴は、横フレームの水切部を水平方向に伝い、さらに縦フレームの水切部を伝って垂直下方に流れることによって、筐体本体外へと排水される。
【０００３】
ところが、このような従来の構造においては、縦フレームの水切部を伝った水滴が、基台の上部に溜まってしまい、これにより、基台上に溜まった水滴が筐体本体内部に侵入したり、基台上に錆が発生する問題があった。
【先行技術文献】
【特許文献】
【０００４】
【特許文献１】特許第４５２６０６７号公報
【発明の概要】
【発明が解決しようとする課題】
【０００５】
本発明の目的は前記した従来の問題点を解決し、水滴を速やかに筐体本体外に排水し、かつ、この水滴が基台上に溜まることのない電気機器収納用箱の排水構造を提供することである。
【課題を解決するための手段】
【０００６】
上記課題を解決するためになされた本発明は、複数のフレームにより構成された枠体を連結してなる筐体本体と、該筐体本体が載置される基台とからなる電気機器収納用箱の排水構造であって、前記フレームのうち、少なくとも垂直方向に配置される縦フレームに水切部を形成するとともに、前記基台の上面には、該水切部の下方に対応する位置に、該水切部を伝って前記基台上に到達した水滴を、前記基台上から排水する排水口を設けたことを特徴とするものである。
【０００７】
請求項２記載の発明は、請求項１記載の電気機器収納用箱の排水構造において、前記基台は、枠状の基台フレームからなり、前記基台フレームには、前記排水口に連なるガイド部材を設けるものとし、さらに前記基台フレームの側面部には、前記ガイド部材に連なり、該ガイド部材を伝う水滴を基台外へと排水する放出口を形成したことを特徴とするものである。
【０００８】
請求項３記載の発明は、請求項１または請求項２記載の電気機器収納用箱の排水構造において、前記排水口は、前記縦フレーム同士の連結箇所に設けたことを特徴とするものである。
【発明の効果】
【０００９】
本発明に係る電気機器収納用箱の排水構造は、フレームのうち、少なくとも垂直方向に配置される縦フレームに水切部を形成するとともに、基台の上面には、この水切部の下方に対応する位置に、水切部を伝って基台上に到達した水滴を、基台上から排水する排水口を設けるものとした。これにより、縦フレームの水切部を伝った水滴は速やかに筐体本体外に排水され、さらに水切部の下方に位置するよう、基台の上面に形成された排水口を介して基台上から速やかに排水されるため、基台上に水滴が溜まることがない。また、従来の構成では、基台上に溜まった水滴が、縦フレームの下端と基台間の隙間等から筐体本体内に水滴が侵入する問題があったが、本発明のように排水口を縦フレームに形成された水切部の下方に設けることにより、水滴が筐体本体内に侵入することを防止することができる。
【００１０】
請求項２に係る発明によれば、基台は、枠状の基台フレームからなり、基台フレームには、排水口に連なるガイド部材を設けるものとし、さらにこの基台フレームの側面部には、ガイド部材に連なり、ガイド部材を伝う水滴を基台外へと排水する放出口を形成するものとした。これにより、水滴は排水口からガイド部材へと伝わり、さらにガイド部材から放出口を介して基台外へと速やかに排水されることとなる。ガイド部材を設けない場合は、排水口を介して基台フレーム内に導かれた水滴が基台外に排水されずに基台内に溜まり、筐体本体内の湿度を上昇させ、筐体本体内の電気機器の劣化の原因となり得るが、請求項２のようにガイド部材と放出口とを介して基台外に水滴を速やかに排水する構成とすることにより、前記湿度上昇を確実に回避し、湿度上昇による筐体本体内の電気機器の劣化を防止することができる。
【００１１】
請求項３に係る発明は、排水口を縦フレーム同士の連結箇所に設けるものとした。縦フレーム同士の連結箇所は、基台の露出が多く基台上に水滴が溜まりやすく、縦フレーム同士の連結箇所からも水滴が筐体本体内に侵入し易い箇所であるため、請求項３のような構成とすることにより、水滴は筐体本体内に侵入することなく基台上の排水口を介して基台外へと排水される。
【図面の簡単な説明】
【００１２】
【図１】本実施形態の筐体本体と基台とを示す斜視図である。
【図２】図１における筐体本体の前面側の拡大図である。
【図３】本実施形態の電気機器収納用箱を示す斜視図である。
【図４】本実施形態の前後基台フレームと筐体本体とを示す拡大図である。
【図５】本実施形態の左右基台フレームと筐体本体とを示す拡大図である。
【図６】前後基台フレームに筐体本体を載置した状態を示す拡大図である。
【図７】左右基台フレームに筐体本体を載置した状態を示す拡大図である。
【図８】本実施形態の基台を示す斜視図である。
【図９】本実施形態の縦フレームの連結箇所を示す一部断面上面図である。
【図１０】図７におけるコーナー金具を省略した左右基台フレームの断面斜視図である。
【図１１】本実施形態の左右基台フレームを示す下方斜視図である。
【図１２】本実施形態における要部を示す断面図である。
【図１３】本実施形態の底板の形状を各々異なる角度から見た斜視図である。
【発明を実施するための形態】
【００１３】
以下に本発明の好ましい実施形態を示す。
図１に示すように、筐体本体１は、縦フレーム２と横フレーム３とからなる枠体４を左右方向に複数配置し、さらに縦フレーム２と奥行フレーム５とからなる枠体４を前後方向に複数配置することにより構成される。また、縦フレーム２と横フレーム３、縦フレーム２と奥行フレーム５はコーナー金具により連結され、枠体４を構成している。なお、左右方向および前後方向とは、図１に示す方向を意味するものである。各枠体４同士は、図２のように隣り合う縦フレーム２同士を連結金具６によって固定することにより連結され、連結金具６の外側には覆い部７が設けられている。なお、図９のように覆い部７を設けない構成とすることもできる。また、枠体４を構成する縦フレーム２と、上部の横フレーム３と、上部の奥行フレーム５とには、各々水切部８が形成されており、これにより水滴を筐体本体１の下方へと排水可能としている。
【００１４】
図３のように、筐体本体１の前面側には扉部９および正面板１０が設けられ、左右側面側には側板１１が設けられ、また後面側には図示しない背面板もしくは背面扉が設けられている。また、筐体本体１の底面側には図１のように底板１２が設けられており、さらに、筐体本体１がその上面に載置される基台１３が設けられており、この基台１３は設置場所への固定に用いられる。筐体本体１と基台１３との固定は、図４及び図５のように、底板１２に設けられて枠体４の固定に用いられる固定金具１４を、後述する基台フレーム１８の上面に形成した固定孔１５に、ねじやボルトにより固定することによりなされるものとした。固定金具１４を筐体本体１の内部側に設けることにより、基台１３とのねじ固定箇所より水が侵入することを防止する。これにより、基台１３上に筐体本体１が載置され、図６及び図７に示す状態となる。なお、固定金具１４には、枠体４に設けた固定部４０が固定される。
【００１５】
図３のように、筐体本体１の天井側を遮光するために、屋根部１６が設けられており、この屋根部１６は、複数の屋根板材１７を連結することによって構成されるものであり、本実施形態では、計３枚の屋根板材１７により構成するものとした。また、屋根部１６は、その上部に水が溜まらないよう、前面側から後面側にかけて傾斜させている。
【００１６】
基台１３は、図８のように、４本の基台フレーム１８を枠状に組み合わせて溶接してなるものである。本実施形態においては、特に前面側と後面側に配置される基台フレームを前後基台フレーム１８ａとし、左右側面側に配置される基台フレームを左右基台フレーム１８ｂとして説明する。基台フレーム１８は、枠状であり、また開口部１９を備えた断面略コ字状のものであり、図１のように、その上面には筐体本体１が固定され、下面は設置場所に固定される固定面となる。この基台フレーム１８の上面のうち、縦フレーム２に形成された水切部８の下方に対応する位置には、水切部８を伝って基台１３上に到達した水滴を基台１３上から排水する排水口２０を設けるものとした。これによって、縦フレーム２の水切部８を伝った水滴は排水口２０を介して基台１３上から排水されるため、基台１３上に水滴が溜まることがない。また、排水口２０から排水された水滴は、基台フレーム１８内に導かれるものとした。なお、基台フレーム１８内とは、基台フレーム１８の筐体本体１が固定される上面と、設置場所へ固定される下面で囲まれた開口部１９の内側を意味する。また、排水口２０を縦フレーム２に形成された水切部８の下方に設けることにより、縦フレーム２の下端と基台１３間の隙間から筐体本体１内に水滴が侵入する問題を回避可能となる。
【００１７】
本実施形態の筐体本体１は、具体的には、図６、図７、及び図１２に示すように、底板１２により縦フレーム２の下方が覆われるよう構成されている。しかしながら、このような構成では、縦フレーム２の水切部８から流れてきた水滴が、底板１２上に溜まってしまい、溜まった水が縦フレーム２の下端と底板１２の間から侵入する恐れがある。そこで、図１３（ａ）及び図１３（ｂ）に、縦フレーム２や奥行フレーム５を省略した底板１２の形状として示すように、底板１２の端部となる縦フレーム２の対応位置には孔部１２ａを形成するものとした。これにより、図１２に示すように、縦フレーム２の水切部８から流れてきた水滴は、孔部１２ａを介して、筐体本体１外に排水される。
【００１８】
縦フレーム２の水切部８の対応位置には左右基台フレーム１８ｂの排水口２０が形成されており、すなわち、底板１２の孔部１２ａの下方の対応位置に排水口２０が設けられる。このような構成により、図１２に示すように、縦フレーム２の水切部８を伝わった水は、底板１２の孔部１２ａを介して排水口２０に流れることとなり、これにより縦フレーム２の下端から筐体本体１内に水滴が侵入することを防止している。
【００１９】
なお、図９のように、排水口２０と、水切部８とが重複するように、縦フレーム２を配置することが好ましく、これにより、縦フレーム２の水切部８を伝う水滴が直接排水口２０へと流れる構造となり、速やかに水滴を排水することができる。さらに、縦フレーム２同士の連結箇所は、パッキン２１を介して固定されているものであるが、基台１３の露出が多いために、特に水滴が基台１３上に水滴が溜まりやすく、さらに、縦フレーム２間、詳しくは縦フレーム２とパッキン２１間から筐体本体１内に侵入し易い箇所となるため、この連結箇所の下方位置に排水口２０を設けることがより好ましい。これにより、水滴は筐体本体１内に侵入することなく基台１３上から排水される。
【００２０】
本実施形態においては、図１のように、前後基台フレーム１８ａを、開口部１９が筐体本体１外側に面する方向に配置するものとし、さらに左右基台フレーム１８ｂを、開口部１９が筐体本体１内側に面する方向に配置するものとした。すべての基台フレーム１８を、その開口部１９が筐体本体１外側に面する方向に配置した場合は、基台１３の強度が低下するため、本実施形態に示す構成により、基台１３の強度低下を防止することができるものとした。また、図６のように、前後基台フレーム１８ａの排水口２０から前後基台フレーム１８ａ内へと導かれた水滴は、排水口２０を介してそのまま基台１３外へと排水されることとなる。さらに、左右基台フレーム１８ｂには、図１０乃至図１２のように、排水口２０に連なるガイド部材２２を左右基台フレーム１８ｂの内側に設けるものとし、更に、この左右基台フレーム１８ｂの側面部３０には、ガイド部材２２に連なり、ガイド部材２２を伝う水滴を基台１３外へと排水する放出口２３を形成するものとした。詳しくは、図１２のように、縦フレーム２の水切部８及び底板１２の孔部１２ａを介して流れてきた水滴が、左右基台フレーム１８ｂの上面に形成された排水口２０から左右基台フレーム１８ｂ内へと導かれ、左右基台フレーム１８ｂの内部に形成したガイド部材２２の表面上を水滴が伝わり、左右基台フレーム１８ｂの側面部３０に形成した放出口２３より基台１３外へと排水させるものである。
【００２１】
なお、ガイド部材２２の両端部は、各々排水口２０と放出口２３に溶接して取付けられるものとした。これにより、水滴は排水口２０からガイド部材２２へと伝わり、さらにガイド部材２２から放出口２３を介して基台１３外へと速やかに排水されることとなる。ガイド部材２２を設けない場合は、排水口２０を介して基台フレーム１８内に導かれた水滴が、基台１３外に排水されずに前後基台フレーム１８ａ、左右基台フレーム１８ｂに囲まれた基台１３内に溜まり、基台１３内に溜まった水滴により筐体本体１内の湿度が上昇し、筐体本体１内の電気機器の劣化の原因となり得るが、ガイド部材２２と放出口２３とを介して基台１３外に水滴を速やかに排水する構成とすることにより、基台１３内の前記湿度上昇を確実に回避し、湿度上昇による筐体本体１内の電気機器の劣化を防止することができるものとした。なお、このガイド部材２２及び放出口２３は、開口部１９が筐体本体１内側に面する方向に配置された左右基台フレーム１８ｂにおいて必須となるが、前後基台フレーム１８ａにおいては、基台１３内に水滴が溜まることがないために、省略することができるものである。
【００２２】
前後基台フレーム１８ａには、図４のように、設置場所へのアンカー取付孔２４及び吊上部２５を形成するものとした。また、図８のように、前後基台フレーム１８ａ間に亘って補強枠体２６を基台１３の内側に設けることにより、強度を高めることが好ましい。
【００２３】
なお、ガイド部材２２を、左右基台フレーム１８ｂの長手方向、すなわち前後方向に亘って形成するものとし、さらに放出口２３を前後基台フレーム１８ａに形成するものとして、水滴を基台１３外へと排水するものとしても差し支えない。
【符号の説明】
【００２４】
１  筐体本体
２  縦フレーム
３  横フレーム
４  枠体
５  奥行フレーム
６  連結金具
７  覆い部
８  水切部
９  扉部
１０  正面板
１１  側板
１２  底板
１２ａ  孔部
１３  基台
１４  固定金具
１５  固定孔
１６  屋根部
１７  屋根板材
１８  基台フレーム
１８ａ  前後基台フレーム
１８ｂ  左右基台フレーム
１９  開口部
２０  排水口
２１  パッキン
２２  ガイド部材
２３  放出口
２４  アンカー取付孔
２５  吊上部
２６  補強枠体
３０  側面部
４０  固定部
【図１】
2015216817.tif 000003
【図２】
2015216817.tif 000004
【図３】
2015216817.tif 000005
【図４】
2015216817.tif 000006
【図５】
2015216817.tif 000007
【図６】
2015216817.tif 000008
【図７】
2015216817.tif 000009
【図８】
2015216817.tif 000010
【図９】
2015216817.tif 000011
【図１０】
2015216817.tif 000012
【図１１】
2015216817.tif 000013
【図１２】
2015216817.tif 000014
【図１３】
2015216817.tif 000015